(57)【要約】【課題】  全身の関節・筋肉を自力で柔軟に運動を行い血行の促進を計るリハビリ運動器具を提供する。【解決手段】  本体中央に主軸３を設け連結した巻き取りドラム４ａ・４ｂより側面フレーム１０ａ・１０ｂ上を通って頭フレーム１１方向へ伸びるワイヤー５ａは滑車７ａを経てワイヤーフック６ａに結び付ける。この絡繰りは反対の足フレーム１２側に至っても同様な働きをする。巻取ドラム４ａ・４ｂは大小径のドラムが重なり大径ドラム２５ａは足フレ−ム１２・小径ドラム２５ｂは頭フレーム１１側の巻き上げの上下運動２１ａ・２１ｂする蝶番９ａ・９ｂを調整するものである。総合的な絡繰り運動は、握りバ−１ａ・１ｂを振り漕２２げば巻取ドラム４ａ・４ｂにワイヤー５ａ・５ｂが巻取る長さだけロ−ラ−８ａ・８ｂが中央に移動２０ａ・２０ｂし蝶番９ａ・９ｂが上昇する。また、握りバー１ａ・１ｂを押せば巻取ドラム４ａ・４ｂに巻かれたワイヤー５ａ・５４ｂが緩み、運動者１９の体重が加わり蝶番９ａ・９ｂが下降する。【選択図】図２
2008126022.tif 000002
【特許請求の範囲】
【請求項１】
握りバ−１ａ・１ｂを振り漕２２ぐ事でア−ム２ａ・２ｂと連結した巻取ドラム４ａ・４ｂの大小径ドラムはワイヤ−５ａ・５ｂを個々に滑車７ａ・７ｂ上を経てワイヤ−フック６ａ・６ｂに結び、巻取ドラム４ａ・４ｂで巻込めば両端ロ−ラ−８ａ・８ｂは中央に向けて引張られ移動２０ａ・２０ｂし蝶番９ａ・９ｂが上昇する。また、握りバ−１ａ・１ｂを押せば取巻ドラム４ａ・４ｂのワイヤ−５ａ・５ｂが緩み、運動者１９の体重が掛かって下降する事の繰り返しが上下運動２１ａ・２１ｂとなることを特徴とするリハビリ運動器具。
【請求項２】
請求項１記載のリハビリ運動器具において、ア−ム２ａ・２ｂの代わりにギャ−モ−タ２３とリモコン操作器２４を組込み自動運転を特徴とするリハビリ運動器具。
【請求項３】
請求項１・２いずれか記載のリハビリ運動器具において、図３に示すよう、腹筋運動を集中的に行う時は膝が曲がらないよう胴フレーム１３と中間フレ−ム１４ｂ間に内臓した足受プレ−ト２６を引き出し、両足を伸ばして乗せることを特徴とするリハビリ運動器具。
【発明の詳細な説明】
【技術分野】
【０００１】  この器具は、運動者の首筋・腕廻・胸囲・背筋・腹部・太股及び膝廻り等を屈曲させ、その近辺の関節・筋肉を緩和させるべく血行を改善し全身のリハビリと運動を目的としたリハビリ健康器具である。
【背景技術】
【０００２】  従来でもっとも近い類似器具は、図７に示すように、支持フレーム１が支える蝶番主軸３は両端に枠フレーム２ａ・２ｂが上下運動６ａ・６ｂのできるよう作られている。運動者７は枠フレーム２ａ・２ｂ上マット８に上向きで寝そべり、次に取手４を掴み両足を足バンド５で固定すれば運動の下準備ができた状態となる。取手４を掴んで両手を身前に引き寄せると同時に両足を上げれば、腹筋力が入り上下運動６ａ・６ｂに動作し上半身を鍛える目的とする。
【発明の開示】
【発明が解決しようとする課題】
【０００３】  以上の技術によれば、腹筋力の向上を目的とした運動器具であった。そこで今回の考案は、首筋・腕廻り・胸囲・背筋・腹部・太股及び膝廻り等の筋肉・屈曲運動などが一括で鍛える事と、更に、自動化する事でリハビリ的他にも多目的に活用できる運動器具。
【課題を解決するための手段】
【０００４】  握りバ−１ａ・１ｂを振り漕２２ぐ事でア−ム２ａ・２ｂと連結した巻取ドラム４ａ・４ｂの大小径ドラムはワイヤ−５ａ・５ｂを個々に滑車７ａ・７ｂ上を経てワイヤ−フック６ａ・６ｂに結び、巻取ドラム４ａ・４ｂで巻込めば両端ロ−ラ−８ａ・８ｂは中央に向けて引張られ移動２０ａ・２０ｂし蝶番９ａ・９ｂが上昇する。また、握りバ−１ａ・１ｂを押せば取巻ドラム４ａ・４ｂのワイヤ−５ａ・５ｂが緩み、運動者１９の体重が器具に掛かって下降する事の繰り返しが上下運動２１ａ・２１ｂとなり、この運動は全身をＭ字型し関節・筋肉運動の血行を促進する。
【発明の効果】
【０００５】  以上のように、器具自体を床上にセット、体を上向きに寝そべった状態でも全身の関節と筋肉等を優しく解かす事を特徴としたリハビリ運動器具である。
【発明を実施するための最良の形態】
【０００６】  頭フレーム１１側において握りバー１ａ・１ｂを振り漕２２げば、巻取りドラム４ａ・４ｂより伸びたワイヤー５ａが滑車７ａを経てワイヤーフック６ａに結び付ける。この絡繰リは反対の足フレ−ム１２側に至っても同様に設置された働きする。巻取ドラム４ａ・４ｂは大小径のドラムが重なり大径ドラム２５ａは足フレ−ム１２・小径ドラム２５ｂは頭フレーム１１側を巻き上げ、上下運動２１ａ・２１ｂする蝶番９ａ・９ｂを調整するものである。総合的な絡繰リ運動は、握りバー１ａ・１ｂを振り漕２２げば巻取ドラム４ａ・４ｂにワイヤー５ａ・５ｂが巻取る長さだけローラー８ａ・８ｂが中央に移動２０ａ・２０ｂし蝶番９ａ・９ｂが上昇する。また、握りバー１ａ・１ｂを押せば巻取ドラム４ａ・４ｂに巻かれたワイヤー５ａ・５４ｂが緩み、運動者１９の体重が加わり蝶番９ａ・９ｂが下降すし、繰り返して行うリハビリ運動器具。
【実施形態の効果】
【０００７】  器具全体に運動者１９の体重が掛かるため握りバー１ａ・１ｂの引き力は、最適な重みを得られるのも、両端のローラー８ａ・８ｂが上半身の頭フレーム１１と下半身の足フレーム１２に分散され部分的に掛かる荷重をローラー８ａ・８ｂで適度なリハビリ運動力が行える器具。
【他の実施形態】
【０００８】  図１の実施形態では、運動者１９が寝そべって両手で握りバー１ａ・１ｂを振り漕２２がなければ始まらない装置の運動器具であって、老人や身障者のように、握りバー１ａ・１ｂを振り漕２２ぐ事が困難な人も居る。そのような場合にあっては、中央の主軸３にギャーモータ２３を側面フレーム１０ａ側に設置し、リモコン操作器２４によって作動時間・速度・蝶番９ａ・９ｂの上下運動２１ａ・２１ｂを調整してからリハビリ運動を行う事で全ての運動者１９が使用できる。
【図面の簡単な説明】
【０００９】
【図１】この発明の一実施形態を示す作動前外観側面図である。
【図２】この発明の一実施形態を示す作動後外観側面図である。
【図３】この発明の一実施形態を示す請求項３の作動後外観側面図である。
【図４】この発明の一実施形態を示す全体平面図である。
【図５】この発明の一実施形態を示すＡ断面図である。
【図６】この発明の一実施形態を示す巻取ドラム（４ａ・４ｂ）要領図である。
【図７】従来の技術を示す外観側面図である。
【符号の説明】
［図１・２・３・４・５・６］
１ａ  握りバ−            ８ｂ  ロ−ラ−          １７ｂ  滑車カバ−
１ｂ  握りバ−            ９ａ  蝶番                １８  マット
２ａ  ア−ム              ９ｂ  蝶番                １９  運動者
２ｂ  ア−ム            １０ａ  側面フレ−ム      ２０ａ  移動方向
３  主軸              １０ｂ  側面フレ−ム      ２０ｂ  移動方向
４ａ  巻取ドラム          １１  頭フラ−ム        ２１ａ  上下運動
４ｂ  巻取ドラム          １２  足フレ−ム        ２１ｂ  上下運動
５ａ  ワイヤー            １３  胴フレーム          ２２  振り漕
５ｂ  ワイヤ−          １４ａ  中間フレ−ム        ２３  ギャ−モ−タ
６ａ  ワイヤ−フック    １４ｂ  中間フレ−ム        ２４  リモコン操作器
６ｂ  ワイヤ−フック    １５ａ  ドラムカバ−      ２５ａ  大径ドラム
７ａ  滑車              １５ｂ  ドラムカバ−      ２５Ｂ  小径ドラム
７ｂ  滑車                １６  主軸カバ−          ２６  足受プレ−ト
８ａ  ロ−ラ−          １７ａ  滑車カバ−
［図７］
１  支持フレ−ム          ４  取    手              ７  運動者
２ａ  枠フレ−ム            ５  足バンド              ８  マット
２ｂ  枠フレ−ム          ６ａ  上下運動
３  蝶番主軸            ６ｂ  上下運動
【図１】
2008126022.tif 000003
【図２】
2008126022.tif 000004
【図３】
2008126022.tif 000005
【図４】
2008126022.tif 000006
【図５】
2008126022.tif 000007
【図６】
2008126022.tif 000008
【図７】
2008126022.tif 000009